(57)【特許請求の範囲】
【請求項１】
基端に開口を有し、先端が閉鎖された腕の一部から指先まで収納することができるゴルファーの利き手に嵌める一本の筒状の袋体であり、筒体の先端側は手を開く、結ぶ動作が可能な大きさであって、
手を挿入した状態において、手を出し入れする切れ目を周方向に半分以上設けられており、
切れ目は、指先まで挿入した状態において、掌が位置する範囲に設けてあり、
先端側を甲側に折り返したとき、一時留め具を設けたことを特徴とするゴルフ用手袋。
【請求項２】
筒状の袋体は、指先から手首まで覆われる長さを備えており、手の部分は保温性が高い素材であり、手首より基端部側が薄手の素材で形成されたことを特徴とする請求項１記載のゴルフ用手袋。
【請求項３】
筒状体の基端側及び／又は手首部分に締め具を設けたことを特徴とする請求項１又は２に記載のゴルフ用手袋。
【請求項４】
小物ポケットを甲側表面に設けたことを特徴とする請求項１〜３のいずれかに記載のゴルフ用手袋。
【請求項５】
小物ポケットを筒状体内側であって、切れ目よりも先端側に設けたことを特徴とする請求項１〜４のいずれかに記載のゴルフ用手袋。
【請求項６】
保温性部材にて形成されていることを特徴とする請求項１〜５のいずれかに記載のゴルフ用手袋。
【発明の詳細な説明】
【技術分野】
【０００１】
本発明は、寒い期間中にゴルフを楽しむために手に嵌める用具に関する。
【背景技術】
【０００２】
現在、芝品種の改良やゴルフ場の環境整備によって、冬期もプレイできるゴルフ場が増えている。発熱するアンダーウエアなどが開発されているが、繊細なタッチが要求される指先に関して、寒い時期でも利き手を十分に防寒して、指先の凍えを防止して、ゴルフを楽しむことができる用具の開発は十分には成されていない。
一般に、ゴルフ用手袋は薄手であり、利き手にはグローブを着用せずにプレイする。ゴルフのグリップは、一般に利き手でない掌（右利きでは左手の掌に該当する）を拡げ、下から握り、利き手は横から被せるように握る。この場合、左手が下になるため、しっかりフィットするよう薄い皮などの手袋を付けるが、右手は感覚を保つために手袋を着用しないことが多い。
そのため、冬場は右手が素手となり、厳しい寒さを感じる。カートを手引きするときなどは、持ち手が金属や合成樹脂製であるので冷たく、右手では曳くことはむずかしい。このような移動中に手袋を嵌めていると、ショットの度毎に手袋を脱着することとなり、煩わしく、プレイの集中の妨げ、楽しみが半減する。
【０００３】
ゴルフ用グローブは、滑らずに安定したグリップが得られるように提案されている。例えば、特許文献１（実用新案登録第３０９３６５７号公報）には、左手用は５本の指の指先まで覆う指袋付き手袋であるが、右手用（利き手）は、指先が露出する様に形成されている。このゴルフ用手袋は右手の全ての指先部分が露出しているので、指先にショット及びパット時の感覚が伝わりやすくなり、打球強弱及び微妙な方向の調整がし易く、快適にプレイすることができる。特に、パットの際には、パットの感覚が指先に伝わり、パッティングの度に繊細な感覚を求めて手袋を脱着する必要が無くなり、試合を円滑に進めることができる。特許文献１に開示されたような両手に使用できる手袋は、薄い生地でできており、特に、利き手側の指先の感覚が重要であって、防寒機能は無い。結局は、冬場など冷え込んだときには、手を揉んだり、息を吹きかけたり、ポケットに手を入れたりして手が凍えるのを防止せざるを得ない。普通の防寒用手袋は、移動中には使用できるが、ショットの時には使用できない。
【０００４】
特許文献２（実用新案登録第３０００６３０号公報）及び特許文献３（実開平６−５５６８０号公報）には、スリーブ状に構成されたゴルフプレイ用手袋が開示されている。基端側開口から手を差し入れ、小さな先端側開口が設けられており、ショットの時にたくし上げて、先端開口から手を出してクラブを握るようにして使用する。この提案では、指先側が開口しており、肝心の指先に冷気があたって、凍えてしまい、大事な指先の感覚が低下する。
【先行技術文献】
【特許文献】
【０００５】
【特許文献１】実用新案登録第３０９３６５７号公報
【特許文献２】実用新案登録第３０００６３０号公報
【特許文献３】実開平６−５５６８０号公報
【発明の概要】
【発明が解決しようとする課題】
【０００６】
本発明は、寒い期間中にゴルフを楽しむために手に嵌める用具を開発することを目的とする。
【課題を解決するための手段】
【０００７】
本発明は、筒状の手袋であって、周方向に設けた切れ目から手を出し入れ可能としたゴルフ用手袋である。
１．基端に開口を有し、先端が閉鎖された腕の一部から指先まで収納することができるゴルファーの利き手に嵌める一本の筒状の袋体であり、筒体の先端側は手を開く、結ぶ動作が可能な大きさであって、
手を挿入した状態において、手を出し入れする切れ目を周方向に半分以上設けられており、
切れ目は、指先まで挿入した状態において、掌が位置する範囲に設けてあり、
先端側を甲側に折り返したとき、一時留め具を設けたことを特徴とするゴルフ用手袋。
２．筒状の袋体は、指先から手首まで覆われる長さを備えており、手の部分は保温性が高い素材であり、手首より基端部側が薄手の素材で形成されたことを特徴とする１．記載のゴルフ用手袋。
３．筒状体の基端側及び／又は手首部分に締め具を設けたことを特徴とする１．又は２．のいずれかに記載のゴルフ用手袋。
４．小物ポケットを甲側表面に設けたことを特徴とする１．〜３．のいずれかに記載のゴルフ用手袋。
５．小物ポケットを筒状体内側であって、切れ目よりも先端側に設けたことを特徴とする１．〜４．のいずれかに記載のゴルフ用手袋。
６．保温性部材にて形成されていることを特徴とする１．〜５．のいずれかに記載のゴルフ用手袋。
【発明の効果】
【０００８】
本発明は、ショットの際にも外す必要が無い手袋であり、常時は指先まで覆うことができる手袋であって、ショットの際には、掌から指先まで露出してクラブを握ることができ、防寒効果の高い手袋である。
着用した指を結ぶ動作及び指を伸ばす動作をすることによって、掌側に設けられた切れ目から手を容易に出し入れできるので、片手だけで素早く手を出し入れすることができ、冷気に手が触れている時間を最小限にすることができる。
他方の手を使用することなく、一方の手のみで出し入れ操作ができるので、通常通りのプレイを楽しむことができる。
寒い期間中にゴルフを楽しむために手に嵌める用具を実現できた。
【図面の簡単な説明】
【０００９】
【図１】防寒用手袋の実施態様の全体斜視図を示す。
【図２】防寒用手袋の掌側、甲側を示す図。
【図３】防寒用手袋の側面を示す図。
【図４】防寒用手袋の手先側反転状態を示す図。
【図５】防寒用手袋の使用状態を示す図。
【図６】防寒用手袋を使用してゴルフクラブを握った状態を示す図。
【発明を実施するための形態】
【００１０】
本発明は、筒状の手袋であって、周方向に設けた切れ目から手を出し入れ可能としたゴルフ用手袋である。基端に開口を有し、先端が閉鎖された腕の一部から指先まで収納することができる筒状の袋体であって、手を挿入した状態において、手を出し入れする切れ目を周方向に設けており、切れ目は、指先まで挿入した状態において、掌が位置する範囲に設けられているゴルフ用手袋である。利き手側に使用すると、手袋を着用したまま手先側だけを出して、素手でゴルフクラブを握ることができる。ゴルフクラブを握って振らないときを、指先まで覆うことができるので防寒に最適である。利き手側はゴルフクラブをコントロールするために重要であり、指先の感覚が大事である。寒さに触れて、冷えて指先が悴んで感覚が鈍るとゴルフクラブコントロールが困難になる。本発明は、通常の着用状態では指先まで手の全体をカバーしていて、冷気に触れることがないので、ゴルフクラブを握る直前まで指先が凍えることを防ぐことができる。本発明のゴルフ用手袋はプレイ用のゴルフグローブを着用した上から使用することもできる。非利き手側に使用することもできる。本発明は、防寒用を主目的として開発された。
【００１１】
＜全体構成＞
基端部側が開口しており、先端側が閉塞している筒状の手袋本体、手袋本体の手先側に手先を出し入れできる切れ目を周方向に設けている。切れ目を設ける位置は、指の付け根から手首までの範囲である。好ましい箇所は、親指の付け根付近である。ただし、本発明の手袋はルーズな大きさなので、指先側に十分な深さがあれば、着用する際に手の挿入位置を切れ目から手先が出しやすい深さに調整操作が可能である。本体の長さは、着用して手首から肘までの前腕の一部を覆うことができる長さが適当である。切れ目の長さは、周方向に形成され、約半周程度設ける。手先を切れ目から出した場合に、甲側を反転させるには、半周以上の切れ目が適当である。切れ目の幅は、手先を収納した状態で、切れ目から冷気が進入しないように、密着した状態が好ましいので、切れ目の幅は狭い方が適切である。切れ目の開口部にボア材などを使用して、閉鎖性を満足することができれば、多少の幅があっても支障は無い。
筒状本体の材質は、保温性が高い素材を選択することが好ましい。表面材と内側材を積層することもできる。表面材として、通気性が低い材質を用いて、保護力を高めることもできる。保温性材としては、ボア材、起毛材、フリース材、綿材、羽毛材などが用いられる。
切れ目の開口部は、密着することが好ましく。さらに、開口部から冷気が進入し難い工夫をすることが好ましい。例えば、開口部に起毛材を配置して、密着性を高める。切れ目と対向する甲側の素材は、腰の弱い材料が好ましい。手を出した際に手先側が反転し易くなる。
筒状本体の内径は、手を入れて中で手をひらいたり、結んだりできる程度に大きさを確保する。この大きさの内径は、通常の手袋よりもかなり大きな内径である。ウエアの袖口から冷気が進入することを避けるために、手首よりも長いサイズであり、ウエア袖の上から着用することができる大きさの内径を備えていることが好ましい。
【００１２】
使用時は、手袋の基端部の開口から手を先端まで挿入し、先端側は切れ目が掌側に位置するようにし、基端部はウエアの袖を覆うようにして着用する。クラブを握るときは、指先を握って、切れ目側を押すように手をひらくと、切れ目が開き、指先を１〜数回動かすと切れ目から指先を外に出すことができる。指の付け根から先を外に出すことができるので、ゴルフクラブを素手で握ることができる。手袋の手先側はそのままでも良いが、甲側に反転させて止めると落ち着いてゴルフクラブを扱いやすくなる。留め具として磁石などの手段を用いることができる。指先に手袋先端側を再度被せるときは、指先を握った状態で、手袋先端側を体の内側に振るように動かすことによって、切れ目が接触するような位置で指先を伸ばすことにより、指先を手袋内に収容することができる。この再収容動作は、留め具を外した後は、手袋着用した腕と手の動作だけで行うことができ、他方の手を必要としないので、極めて簡便な操作であり、プレイに支障を生じない。
【００１３】
＜実施態様＞
次に、前記基本構造に加えて、付加または変更できる態様について説明する。
１．手の部分を保温性の高い素材で形成し、手首より基端側は、薄手の素材で形成する。前腕部分に相当する部分は、ウエアの袖に被覆されるので防寒機能は重要でなく、ずり落ち無いように止め機能を重視する。
２．基端部又は／及び手首部分に締め具を設ける。抜け落ち防止用にこれらの締め具を付加することができる。筒状本体を手と腕に挿入した状態では、緩く止まっている状態なので、落とす危険性を防止する。
３．手先側の内側の切れ目部分付近に、指先掛け部を設ける。例えば、切れ目部周囲に膨出部を形成、布のたるみ部を形成する。指先を指先掛け部に引っかけた状態で手を握ることによって、手先側の切れ目部を押し上げて、手首側の切れ目部と密着性を増し、冷気の遮断性を向上させる。
４．手先側の内側に使い捨てカイロなどの発熱材入れ用のポケットを形成する。指先の保温性を高めることができる。本発明は、先端が封鎖されているので、発熱材を入れることにより保温効果が高い。 
５．手先側を甲側に折り返したとき、一時的に止める留め具を設ける。例えば、一対の磁石を手先の甲側と手首側に設けて、手先側が折り返されたときに、接合して結合する様にすることができる。また、同様に面ファスナーを取り付けることもできる。ホックやボタン手段も可能であるが、片手で操作することがむずかしい。
６．小物ポケットを甲側表面に設ける。マーカーやティーを入れる用途に用いる。
【００１４】
［実施態様］  
本発明のゴルフ用の防寒用手袋の実施態様を、図を使用して説明する。
防寒用手袋の実施態様の全体斜視図を図１に示す。図２に防寒用手袋の掌側、甲側を示す。図３に防寒用手袋の側面を示す。図４に防寒用手袋の手先側反転状態を示す。図５に防寒用手袋の使用状態を示す。図６に防寒用手袋を使用してゴルフクラブを握った状態を示す。
本ゴルフ用の防寒手袋１は、一本の筒状であって、基端側が開口していて、先端側が閉塞している。筒状の内部空間は基端部開口５から先端まで連続している。
指を挿入する部分も指毎に分かれておらず、一つの筒である。防寒用手袋１は、手元部３と手先部４から構成され、掌側に切れ目２が形成されている。使用する想定者の手の親指の股を基本位置とし、親指を除く４本の指の付け根付近から親指の付け根付近の間に位置する様に形成する。切れ目２は半周設けられている。
基端部から切れ目までを手元部３、切れ目から先端までを手先部４とする。掌側について、手元側掌部３１、手先側掌部４１、甲側について、手元側甲部３２、手先側甲部４２とする。切れ目２を形成する対向する縁部分について、手先側切れ目部２１、手元側切れ目部２２とする。
【００１５】
図１は斜視図であり、図２は、掌側の平面を（ａ）に、甲側の平面を（ｂ）に示している。さらに、図２（ａ）は右手を挿入した想定を示している。
防寒用手袋１に右手を挿入し、手首から前腕部を被うように装着している。図２（ａ）に示すように、切れ目２が被うように装着している。図２（ａ）に示すように、切れ目２が、親指の付け根付近に配置されている。図２（ｂ）に示すように、手先側甲部４２に手先側磁石６ａが設けられ、手元側甲部３２に手元側磁石６ｂが設けられている。これらの一対の磁石は、手元側甲部が折り返された状態で、接触して磁力吸着して、一時的に係止される。
本防寒用手袋は、内面側が起毛したボア材、表面側が布地の２層の材料を用いて形成されている。
【００１６】
側面図を図３に示している。図３（ａ）は伸ばした全体の様子であり、図３（ｂ）は手先部４を甲側へ折り返した状態を示している。手先側甲部３２は、手元側甲部４２に向けて折り返されて、留め具６を構成する磁石６ａ、磁石６ｂが接触して、磁石による係止が成される。図４は、図２（ｂ）で示した状態の甲側平面図を示している。
【００１７】
図５は、右手ＲＨを挿入した状態を模式的に示した図である。図５（ａ）は、図２（ａ）と同様である。右手ＲＨを挿入し、切れ目２が右手の親指の付け根に付近に成る状態において、指先を内側に曲げて切れ目付近にかけて、指先を数回屈伸させて、右手手先を露出させることができる。露出した状態を図５（ｂ）（ｃ）に示す。図５（ｂ）は、掌側を示している。防寒用手袋１の手元側掌部３１から右手手先の掌ＲＨａが露出している。図５（ｃ）は、甲側を示している。図５（ｃ）は、手先部４が折り返されて防寒用手袋１の手元側甲部３２から右手手先の甲ＲＨｂが露出している。掌の手先側半分程度が露出しているので、ゴルフクラブを素手で握ることができる。
図６にゴルフクラブＧを握った状態を模式的に示している。この例では、右手ＲＨが利き手である。ゴルフグローブ７を着用した左手ＬＨを下側にして、その上に右手ＲＨを被せてグリップを形作る。この状態で右手の手先側が露出しているので、素手でゴルフクラブに触れることができることとなる。防寒用手袋１は、右手の前腕部分から手までをカバーしている。
ショットを打ち終わったら、係止を解いて、右手の指先を折り曲げて、手袋の手先部４を軽く内側に向けて振り動かすと、手袋内に手先部を収納でき、その状態で指先を伸ばすと、手袋の手先部に指を挿入することができる。
手袋は布製で柔らかいので、右手を防寒用手袋１に着用した状態で、ゴルフバッグやカートを操作することができる。
利き手の指先をショット以外のときは防寒用手袋の中に納めることができ、指先が凍えることなく、ゴルフショット感覚を損なうことなくプレイを楽しむことができる。ほぼ片手で防寒用手袋を操作することができるので、煩わしさも感じることなく、集中を切らさずに寒中でもゴルフのプレイをすることができる。
【符号の説明】
【００１８】
１    防寒用手袋
２    切れ目
２１  手先側切れ目部
２２  手元側切れ目部
３    手元部
３１  手元側掌部
３２  手元側甲部
４    手先部
４１  手先側掌部
４２  手先側甲部
５    基端部開口
６    留め具
６ａ  手先側磁石
６ｂ  手元側磁石
７    左側手袋
【図１】
0005570546.tif 000002
【図２】
0005570546.tif 000003
【図３】
0005570546.tif 000004
【図４】
0005570546.tif 000005
【図５】
0005570546.tif 000006
【図６】
0005570546.tif 000007